(57)【要約】【課題】被写体の頭部に天使の輪のような光の輪が表現される質の高い写真を作成できる写真プリント作成装置を提供する。【解決手段】被写体２を撮影するカメラ６と、上記カメラ６による撮影画像を印刷するプリンタ９と、撮影時に被写体２を上から照明する天井ストロボ５とを備え、上記天井ストロボ５は被写体２の頭上近傍に配置され、光源が被写体２の頭の大きさより小さい領域内に集中した集中光源であり、上記集中光源と被写体２の間に板状の拡散板が存在しないことにより、被写体２の頭上に配置された集中光源から照射された光は、集中光源から広がるように照射されて被写体２の頭頂部よりやや下側の領域で反射し、被写体２の頭部に天使の輪のような光の輪２６が表現された高品質の写真を作成できる。【選択図】図１
2004109642.tif 000002
【特許請求の範囲】
【請求項１】
使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより小さい領域内に集中した状態で存在する集中光源であり、上記集中光源と被写体の間に板状の拡散板が存在しないことを特徴とする写真プリント作成装置。
【請求項２】
上記上部照明装置は、集中光源が透明体からなるプリズムケースに収容され、上記プリズムケースは被写体の頭の大きさより小さい大きさに設定されている請求項１記載の写真プリント作成装置。
【請求項３】
撮影領域に存在する被写体を照明する第２照明装置を備え、上記第２照明装置より上部照明装置の方が撮影時の光量が大きくなるよう設定されている請求項１または２記載の写真プリント作成装置。
【請求項４】
撮影時の照明として上部照明手段を使用するか否かを被写体に選択させる照明選択手段を備えている請求項３記載の写真プリント作成装置。
【請求項５】
上部照明装置が被写体の頭上において移動可能に設けられている請求項１〜４のいずれか一項に記載の写真プリント作成装置。
【請求項６】
上部照明装置が被写体の頭上において複数設けられている請求項１〜５のいずれか一項に記載の写真プリント作成装置。
【請求項７】
上部照明装置の下を被写体の立ち位置とするよう被写体に対して音声および／または画面で案内する案内手段が設けられている請求項１〜６のいずれか一項に記載の写真プリント作成装置。
【請求項８】
上記上部照明装置が、被写体から目視可能に露出した状態で設けられている請求項７記載の写真プリント作成装置。
【請求項９】
上部照明装置の下にあたる撮影領域の床に、被写体の立ち位置を示す表示が設けられている請求項１〜７のいずれか一項に記載の写真プリント作成装置。
【請求項１０】
使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより狭い幅内に集中した状態で存在する線状光源であって、上記線状光源と被写体の間に板状の拡散板が存在しないことを特徴とする写真プリント作成装置。
【発明の詳細な説明】
【０００１】
【発明の属する技術分野】
本発明は、ゲームセンター等に設置され、硬貨等の投入により使用者を含む被写体を撮影し、撮影画像の写真プリントを作成して販売等する写真プリント作成装置に関するものである。
【０００２】
【従来の技術】
近年、ゲームセンター等において、写真を撮影してシールプリント等にする写真プリント提供装置が数多く設置されている。このような写真プリント提供装置としては、下記の特許文献１に示すようなものが開示されている。上記特許文献１に示すものは、被写体を撮影するカメラと撮影画像を印刷するプリンタを備えた装置において、撮影ブースの天井部に被写体を照明する照明装置が設けられている。また、一般に、この種の装置において被写体を照明する装置は、被写体の顔を照明すべく被写体の前方にも配置される。
【０００３】
上記従来の装置では、照明装置の光源として蛍光灯やストロボ装置が用いられ、上記光源を必要に応じて乳白色のアクリル板等からなる拡散板で覆って光源から照射された光を拡散させて被写体に照射することが行なわれている。上記拡散板は、できるだけ面積を大きくして撮影用ブース内をできるだけ均一に照明することが行なわれている。
【０００４】
【特許文献１】
特開２０００−２２４４１０
【０００５】
【発明が解決しようとする課題】
しかしながら、一般的な写真撮影のように被写体の前方に配置した照明装置の光で撮影を行なうと、顔は明るく照明されるのであるが、図９（ａ）に示すように、全体に起伏が感じられないべたっとした写真に仕上がってしまい、特に、頭髪の部分の艶感がなくなってしまう。
【０００６】
また、上述したような長い蛍光灯の光や乳白色のアクリル板等で拡散した光を天井部から照明して撮影した場合、図９（ｂ）に示すように、頭頂部が平面的に照明され、光が頭頂部で反射してしまい、被写体頭部の球面に沿った柔らかなカーブを表現しきれない写真になってしまう。
【０００７】
本発明は、このような事情に鑑みなされたもので、被写体の頭部に天使の輪のような光の輪が表現される照明により、頭髪の部分に立体感を与え、使用者の満足度の高い写真を作成できる写真プリント作成装置の提供を目的とする。
【０００８】
【課題を解決するための手段】
上記の目的を達成するため、本発明の写真プリント作成装置は、使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより小さい領域内に集中した状態で存在する集中光源であり、上記集中光源と被写体の間に板状の拡散板が存在しないことを第１の要旨とする。
【０００９】
すなわち、本発明の第１の写真プリント作成装置は、撮影時に被写体を上から照明する上部照明装置を備え、上記上部照明装置は、上記撮影領域に存在する被写体の頭上近傍に配置されるとともに、光源が被写体の頭の大きさより小さい領域内に集中した状態で存在する集中光源であり、上記集中光源と被写体の間に板状の拡散板が存在しない。このようにすることにより、被写体の頭上に配置された集中光源から照射された光は、被写体の頭の大きさより小さい領域内に存在する集中光源から広がるように照射される。そして、上記集中光源から照射された光は、被写体の頭頂部よりやや下側の領域で反射して撮影手段に入射される。このため、得られる写真では、被写体の頭部に天使の輪のような光の輪が表現され、頭髪の部分に立体感があるハイグレードな写真を作成できる。
【００１０】
本発明の写真プリント作成装置において、上記上部照明装置は、集中光源が透明体からなるプリズムケースに収容され、上記プリズムケースは被写体の頭の大きさより小さい大きさに設定されている場合には、集中光源から照射された光が、上記プリズムケースを透過するときの屈折である程度方向を変えて微小な光拡散が行なわれる。この微小な光拡散は、従来の乳白色の拡散板による光拡散に比べて極めて微小である。しかもプリズムケースは、従来の拡散板のように大きなものではなく、被写体の頭の大きさより小さい大きさに設定されているため、微小な拡散が行なわれた照明光は、頭部よりも小さい領域から周囲に向かって広がるように照射される。したがって、頭部での反射光による天使の輪が表現される効果を減少させることなく、しかも、強烈な直射光で顔面に強い陰影がでてしまうのを防止できる。
【００１１】
本発明の写真プリント作成装置において、撮影領域に存在する被写体を照明する第２照明装置を備え、上記第２照明装置より上部照明装置の方が撮影時の光量が大きくなるよう設定されている場合には、上記第２照明装置によって被写体を照明し、その照明光による照明効果を得るとともに、被写体の頭部に天使の輪のような光の輪が表現された立体感のある写真を作成できる。
【００１２】
この場合において、上記第２照明装置を、撮影時に被写体を頭上以外の部分から照明する位置に配置した場合、例えば、上記第２照明装置を、被写体の前面から照明する位置に配置した場合には、顔面の陰影がより少なくなって表情を適格にとらえるとともに、被写体の頭部に天使の輪のような光の輪が表現された立体感のある写真を作成できる。
また、この場合において、上記第２照明装置を、被写体の背面から照明する位置に配置した場合には、頭髪の周縁部が逆光によって輝く効果が得られるとともに、被写体の頭部に天使の輪のような光の輪が表現された立体感のある写真を作成できる。
さらに、この場合において、上記第２照明装置を、被写体の前面から照明する位置と被写体の背面から照明する位置とに配置した場合には、顔面の陰影がより少なくなって表情を適格にとらえるとともに頭髪の周縁部が逆光によって輝く効果が得られ、さらに、被写体の頭部に天使の輪のような光の輪が表現された立体感のある写真を作成できる。
【００１３】
本発明の写真プリント作成装置において、撮影時の照明として上部照明手段を使用するか否かを被写体に選択させる照明選択手段を備えている場合には、被写体の髪型や服装等によって上部照明手段を用いるか用いないかを被写体が決定して選ぶことができる。例えば、帽子をかぶって撮影したいときは、頭上からの照明があると、かえって帽子だけが明るく目立ち、顔には暗い影ができた写真に仕上がってしまうが、このようなときに被写体が上部照明手段を使用しない選択をすることで、上述したような失敗写真ができるのを防止できる。
【００１４】
また、上部照明手段を使用した撮影において失敗写真ができやすい被写体の状況を使用者に表示し、被写体が上記表示した失敗写真ができやすい状態か否かを選択入力させ、上記選択入力の結果に応じ、失敗写真ができやすい状態であれば上部照明手段を発光させない場合には、例えば、帽子をかぶっているなど、頭上からの照明があると帽子だけが明るく目立って顔には暗い影ができた失敗写真になりやすい状況の際に、被写体に対し、例えば、帽子をかぶっているか否か等の被写体の状況を表示してそのような状況にあるか否かを選択入力させ、それに応じて失敗写真ができやすい状態であれば上部照明手段を発光させないことにより、失敗写真の生成を防止できる。
【００１５】
また、上部照明手段を使用した撮影において失敗写真ができやすい被写体の状況を使用者に表示して、被写体に対して上記表示した失敗写真ができやすい状態を除去するよう音声および／または画面で案内する手段を備えている場合には、例えば、帽子をかぶっているなど、頭上からの照明があると帽子だけが明るく目立って顔には暗い影ができた失敗写真になりやすい状況の際に、被写体に対し、例えば、帽子をとるよう案内することにより、失敗写真の生成を防止できる。
【００１６】
本発明の写真プリント作成装置において、上部照明装置が被写体の頭上において移動可能に設けられている場合には、例えば、被写体が大きく腰を曲げたポーズをとるなど、普通に立った状態とは頭部の位置が異なるようなときに、上記照明手段を移動させることにより、頭部に天使の輪のような光の輪が表現された立体感のある写真を確実に作成できる。
【００１７】
本発明の写真プリント作成装置において、上部照明装置が被写体の頭上において複数設けられている場合には、例えば、被写体が複数人で撮影を行なうなど、ひとりで普通に立った状態とは頭部の位置が異なるようなときに、複数人の被写体の各人の頭部に天使の輪のような光の輪が表現された立体感のある写真を確実に作成できる。
この場合において、使用者に対して被写体の人数を入力させる手段を有し、入力された人数に応じ、人数分の数だけ上部照明手段を発光させる場合には、複数人の被写体の各人の頭部に天使の輪のような光の輪が表現された立体感のある写真を確実に作成できる。
【００１８】
本発明の写真プリント作成装置において、上部照明装置の下を被写体の立ち位置とするよう被写体に対して音声および／または画面で案内する案内手段が設けられている場合には、被写体は、上記案内により頭部に立体感のあるよい写真を撮影するために自分がどの位置に立てばよいかがすぐにわかって便利である。
【００１９】
本発明の写真プリント作成装置において、上記上部照明装置が、被写体から目視可能に露出した状態で設けられている場合には、被写体は、上部照明装置の下に立って頭部に立体感のあるよい写真を撮影するために自分がどの位置に立てばよいかがすぐにわかって便利である。
【００２０】
本発明の写真プリント作成装置において、上部照明装置の下にあたる撮影領域の床に、被写体の立ち位置を示す表示が設けられている場合には、被写体は、頭部に立体感のあるよい写真を撮影するために自分がどの位置に立てばよいかがすぐにわかって便利である。
【００２１】
また、本発明の写真プリント作成装置は、使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより狭い幅内に集中した状態で存在する線状光源であって、上記線状光源と被写体の間に板状の拡散板が存在しないことを第２の要旨とする。
【００２２】
すなわち、本発明の第２の写真プリント作成装置は、撮影時に被写体を上から照明する上部照明装置とを備え、上記上部照明装置は、上記撮影領域に存在する被写体の頭上近傍に配置されるとともに、光源が被写体の頭の大きさより狭い幅内に集中した状態で存在する線状光源であって、上記線状光源と被写体の間に板状の拡散板が存在しない。このようにすることにより、被写体の頭上に配置された線状光源から照射された光は周囲に広がるように照射される。そして、上記線状光源から照射された光は、被写体の頭頂部よりやや下側の領域で反射して撮影手段に入射される。このため、得られる写真では、被写体の頭部に天使の輪のような光の輪が表現され、頭髪の部分に立体感があるハイグレードな写真を作成できる。
【００２３】
また、使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより小さい領域内に集中した状態で存在する集中光源であり、上記集中光源と被写体の間に板状の拡散板が存在しない写真プリント作成装置で印刷されるまたは印刷された印刷媒体も本発明の範囲に含まれる。
【００２４】
また、使用者を含む被写体を撮影してその写真を作成する写真プリント作成装置であって、撮影領域内の被写体を撮影する撮影手段と、上記撮影手段で撮影された撮影画像をプリント出力するプリンタと、撮影時に被写体を上から照明する上部照明装置とを備え、上記上部照明装置は、上記撮影領域に存在する被写体の頭上近傍に配置されるとともに、光源が被写体の頭の大きさより狭い幅内に集中した状態で存在する線状光源であって、上記線状光源と被写体の間に板状の拡散板が存在しない写真プリント作成装置で印刷されるまたは印刷された印刷媒体も本発明の範囲に含まれる。
【００２５】
【発明の実施の形態】
つぎに、本発明の実施の形態を詳しく説明する。
【００２６】
図１は、本発明の写真プリント作成装置の一実施の形態を示す図である。この写真プリント作成装置は、内部および前面に各種の装置が設けられて被写体２の正面に配置された筐体１と、上記筐体１の上から被写体２の背後まで達するように突き出された天井部３ならびに床部１４と、被写体２の背後に設けられたバックスクリーン１３とを備えている。そして、上記筐体１，天井部３，床部１４，バックスクリーン１３で囲まれた空間により被写体２の撮影用ブースが形成され、上記撮影用ブースの内部が撮影領域である撮影空間を構成するようになっている。なお、図示していないが、被写体２の左右には上記撮影ブースを形成する側壁が設けられ、左右の側壁にはカーテンが吊設された出入口が形成されている。
【００２７】
上記筐体１の前面には、対価としての硬貨を投入する硬貨投入口（図示せず）が設けられ、筐体１内部の硬貨投入口に隣接した位置に、投入された硬貨を検出してコンピュータ装置７に検出信号を送信する硬貨検出部２４（図４参照）が設けられている。
【００２８】
上記筐体１の内部には、被写体２を撮影するカメラ６が設けられ、上記筐体１のカメラ６の被写体２側に位置する面には、ピンク色のアクリル板からなる拡散板１０が嵌め込まれている。上記拡散板１０のカメラ６が配置された部分には、透明部２１が形成されている。また、上記筐体１の前面には、その上部と下部に、被写体２に対して正面から閃光を照射して照明する本発明の第２ストロボとしての前面ストロボ４が設けられている。上側の前面ストロボ４は、上記拡散板１０の被写体２からみて背後すなわちカメラ６側に配置されている。
【００２９】
上記のように、撮影された画像に影がないことやシミなどのあらを隠すことが望まれるため、前面ストロボ４の光量は大きめに設定され、露出オーバー気味に撮影が行われる。その後撮影された画像に画像処理（たとえばトーンカーブなど）が施され色調補正し最適な撮影画像を生成する。
【００３０】
従来は上記拡散板１０として乳白色のアクリル板が用いられていたため、このような場合に、被写体に強い白色の光が照射され、顔などの肌色の部分が白く飛んでしまい、その後の画像処理においても、肌色に近い色調に補正することが困難であった。そこで、上記写真プリント作成装置では、上記拡散板１０として、肌色に近いピンク色のアクリル板を用いたのである。このようにすることにより、被写体が白飛びせず、肌色を保ったままで画像処理を施すことが容易にでき、顔のシミなどのあらを隠すことができる。
【００３１】
しかし、被写体の肌以外の部分もピンク色に照射されるため、その部分の色調を補正する必要がある。画像処理により色調補正することもできるが、光学的に処理を行ったほうが画質劣化が抑えられ好ましい。たとえば、ピンク色とは略補色関係にあるシアンフィルタ等をカメラ６の前に設置し、カメラ６に入り込む光のピンク色成分を抑え、さらにＮＤ（ニュートラル・デンシティ）フィルタをカメラ６の前に設置し、カメラ６に入射する光量を抑えることがより好ましい。
【００３２】
また、上記筐体１の内部には、上記カメラ６から画像データを受信して画像合成等の処理を行なうコンピュータ装置７が設けられている。また、上記筐体１の被写体２側には、上記コンピュータ装置７から送信された合成画像等の画像信号を受信して画像を表示するディスプレイ８が設けられている。
【００３３】
さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１の前面に形成された送出口１９から送出され、上記送出口１９近傍に設けられたカッタ１８によって切断されて排出される。
【００３４】
さらに、上記筐体１の前面には操作パネル１１が設けられ、この操作パネル１１にはタッチペン１２を備えており、使用者２がディスプレイ８に表示される操作指示に従ってディスプレイ８の表面をタッチペン１２で軽く触れることにより、各種の操作信号がコンピュータ装置７に送られ、シャッタ操作等の各種操作が行なわれるようになっている。
【００３５】
また、上記タッチペン１２は、その先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１５に印刷されるようになっている。
【００３６】
この例において、使用者２がディスプレイ８から見る画像およびプリンタ９から印刷される画像は、被写体２の撮影画像と背景画像ならびにタッチペン１２による手書き入力画像等とが合成されたものである。
【００３７】
また、上記筐体１の前面には、コンピュータ装置７から音声信号を受信して出力するスピーカ２３（図４参照）が設けられている。
【００３８】
一方、上記天井部３には、撮影時に被写体２を上から照明する上部照明装置としての天井ストロボ５を備えている。上記天井ストロボ５は、上記撮影空間に存在する被写体２の頭上に対応する位置に配置されている。
【００３９】
上記天井ストロボ５は、図２および図３に示すように、光源である発光体（図では隠れて見えない）と、この発光体が取り付けられ天井部３に取り付けられる取付ボックス１６と、上記取付ボックス１６に取り付けられた発光体を収容する透明体からなるプリズムケース１７とから構成されている。
【００４０】
上記取付ボックス１６は、不透明の樹脂材料から形成され、図２（ａ）の下側の部分を天井部３に取り付けるようになっている。上記発光体は、取付ボックス１６の天井部３への取付面とは反対側の面すなわち図２（ａ）における上側の面に取り付けられる。上記発光体は、棒状の発光体が複数（この例では３つ）正三角形をなすように配置され、それぞれの発光体の天井部３側に位置する側に反射板が設けられている。
【００４１】
なお、上記発光体の数は３つに限定するものではなく、被写体２の頭より小さい領域内に集中して存在する集中光源をなすものであれば、４つ以上でもよいし、１つや２つでもよい。すなわち、本発明の集中光源とは、光源が１つの場合も含む趣旨である。また、発光体の配置も三角形状に限定するものではなく、平行に並ぶような配置等でもよい。
【００４２】
上記プリズムケース１７は、透明の樹脂材料で形成され、図３（ａ）に示すように、平面視で正八角形を呈し、図２（ａ）の下側半分が正八角形の筒状部１７ｂに形成され、上側半分がドーム状部１７ａに形成されている。上記ドーム状部１７ａは、頂部が正八角形でその周囲に多数の二等辺三角形が配置されて筒状部１７ｂに連結する多面体状を呈している。
【００４３】
上記筒状部１７ｂの周壁の拡大断面図を図２（ｂ）に示す。この筒状部１７ｂにはその内壁面に、縦方向に多数並んだ断面三角形のプリズム部２０ａが形成されている。また、上記ドーム状部１７ａの内壁面の拡大図を図３（ｂ）に、その拡大断面図を図３（ｃ）に示す。このドーム状部１７ａには、その内壁面に、ピラミッド型で多数並んだプリズム部２０ｂが形成されている。
【００４４】
上記プリズムケース１７は被写体２の頭の大きさより小さい大きさに設定されている。この例では、最大直径が約６８ｍｍに、プリズムケース１７の高さが約４５ｍｍに設定されている。すなわち、光源である発光体は、被写体２の頭の大きさより小さい領域内に集中した状態で集中光源として存在している。
【００４５】
この例では、上記天井ストロボ５としてウシオライティング株式会社製のフラッシュランプユニット（型式ＫＸ−１０３０Ｕ／Ｌ）を使用した。
【００４６】
上記天井ストロボ５は、図１に示すように、プリズムケース１７を下側にして被写体２の頭上に、被写体２から目視可能に露出した状態で天井部３に取り付けられている。そして、上記集中光源と被写体２の間には、乳白色のアクリル板等の板状の拡散板が存在していない。このようにすることにより、被写体２の頭上に配置された集中光源から照射された光は、被写体２の頭の大きさより小さい領域内に存在する集中光源から広がるように照射され、被写体２の頭頂部よりやや下側の領域で反射して撮影手段に入射される。このため、得られる写真では、被写体２の頭部に天使の輪のような光の輪が表現され、頭髪の部分に立体感があるハイグレードな写真を作成できる。また、被写体２は、天井ストロボ５の下に立って頭部に立体感のあるよい写真を撮影するために自分がどの位置に立てばよいかがすぐにわかって便利である。
【００４７】
また、集中光源が透明体からなるプリズムケース１７に収容され、上記プリズムケース１７が被写体２の頭の大きさより小さい大きさに設定されているため、集中光源から照射された光が、上記プリズムケース１７を透過するときの屈折である程度方向を変えて微小な光拡散が行なわれる。この微小な光拡散は、従来の乳白色の拡散板による光拡散に比べて極めて微小である。しかもプリズムケース１７は被写体の頭の大きさより小さい大きさに設定されているため、微小な拡散が行なわれた照明光は、頭部よりも小さい領域から周囲に向かって広がるように照射される。したがって、頭部での反射光による天使の輪が表現される効果を減少させることなく、しかも、強烈な直射光による顔面の強い陰影がでてしまうのを防止できる。
【００４８】
ここで、上記前面ストロボ４と天井ストロボ５は、同調発光させるようになっている。このとき、上記前面ストロボ４より天井ストロボ５の方が撮影時の被写体２に届く光量が大きくなるよう設定されている。このようにすることにより、上記前面ストロボ４によって正面から被写体２を照明し、その照明光によって顔面の陰影がより少なくなって表情を適格にとらえることができる。前面ストロボ４の撮影時の光量を天井ストロボ５よりも小さくしたため、天井ストロボ５によって被写体２の頭部に天使の輪のような光の輪が表現され、前面ストロボ４の照明光によってその効果が消失することがない。
【００４９】
これら大小比較される光量は、それぞれのストロボ４，５が発光するときの発光量ではなく、ストロボ４，５が発光し被写体２に照射され、その反射光がカメラ６に入射した光の量である。たとえば、前面ストロボ４と天井ストロボ５が同じ量で発光しても、前面ストロボ４と被写体２の間には拡散板１０が備わり、拡散板１０は光を拡散および減衰させる効果があることから、前面ストロボ４から照射される光の方が少なくなる。
【００５０】
ここで、第２照明装置として、被写体２の背面から照明する位置に配置したり、被写体２の前面から照明する位置と被写体２の背面から照明する位置の双方に配置することもできる。これらの場合も第２照明装置（前後にある場合はそれらを合わせた光量である）の撮影時光量は、天井ストロボ５の光量よりも小さくなるよう設定される。このようにすることにより、顔面の陰影がより少なくなって表情を適格にとらえるとともに頭髪の周縁部が逆光によって輝く効果が得られ、さらに、被写体２の頭部に天使の輪のような光の輪が表現された立体感のある写真を作成できる。また、上記第２照明装置は、天井ストロボ５の効果を妨げない範囲においては、天井部３に備えられても構わない。
【００５１】
また、上記天井ストロボ５は、被写体２の頭上において移動可能に設けるようにすることもできる。天井ストロボ５を移動可能に設ける具体的手段としては、例えば、天井部３の下面にレールを取り付けて上記レールにスライド可能に天井ストロボ５を取り付けたり、あるいは、屈曲可能なアームを天井部３に取り付けて上記アームの先端部に天井ストロボ５を取り付けるようにして実現することができる。また、天井部３に回転可能な円板を設け、この回転円板に天井ストロボ５を取り付けるようにして実現することもできる。
【００５２】
このように、天井ストロボ５を移動可能に取り付けたことにより、例えば、被写体２が大きく腰を曲げたポーズをとったり、フレーム（撮影範囲）の中央ではなく端に寄った立ち位置で撮影を行ないたい場合など、普通に立った状態とは頭部の位置が異なるときでも、天井ストロボ５を移動させることにより、頭部に天使の輪のような光の輪が表現された立体感のある写真を確実に作成できる。
【００５３】
また、上記天井ストロボ５の真下にあたる撮影ブースの床部１４には、被写体２の立ち位置を示す表示シート２５が貼り付けられている。このようにすることにより、被写体２は、頭部に立体感のあるよい写真を撮影するために自分がどの位置に立てばよいかがすぐにわかって便利である。
【００５４】
つぎに、上記コンピュータ装置７のシステム構成について詳しく説明する。
【００５５】
図４に示すように、上記コンピュータ装置７は、タッチペン１２によりディスプレイ８の入力部３５に入力された各種の操作信号を受信し、受信した操作信号に応じて各種制御を行なう制御手段３１を備えている。上記制御手段３１は、硬貨検出部２４からの検出信号を受信することにより、撮影や画像合成等の制御を開始するようになっている。
【００５６】
上記ディスプレイ８には、タッチペン１２によって手書き画像や操作信号が入力される入力部３５と、画像等を表示する表示部３６とが設けられている。上記タッチペン１２で入力された手書き画像等は、ペン入力画像記憶部３２に記憶され、記憶された手書き画像等のデータは、後述する画像合成手段３０に送られる。また、タッチペン１２によって入力された操作信号は制御手段３１に送られ、各種の制御が行なわれる。
【００５７】
上記コンピュータ装置７には、背景画像記憶部３３が設けられている。この背景画像記憶部３３には、カメラ６によって撮影された被写体画像に背景や前景として合成される複数の画像データが格納されている。
【００５８】
また、上記コンピュータ装置７には、タッチペン１２によるペン入力画像の入力可能時間を計測するタイマ（図示せず）が設けられている。上記タイマは、制御手段３１による手書き画像開始の指示メッセージをディスプレイ８に表示させるのとほぼ同時に計測を開始する。上記タイマの計測時間があらかじめ設定された所定の入力可能時間（例えば９０秒等）に達したときに手書き画像等の入力を停止してつぎの動作に移るようになっている。
【００５９】
また、上記コンピュータ装置７には固定画像記憶部３８が設けられ、上記被写体２によるタッチペン１２の操作により所望のシャッタタイミングで撮像映像を静止画像として固定するようになっている。
【００６０】
また、上記コンピュータ装置７には、シャッタ操作によるカメラ６での撮影回数をカウントするカウンタ（図示せず）が設けられている。上記カウンタは、硬貨検出部２４による最初の硬貨の検出によってリセットされてカウントを開始する。上記カウンタのカウントがあらかじめ設定された所定の撮影可能回数（例えば４回等）に達するまで、一定の時間間隔で撮影を繰り返し、複数の撮影画像（静止画像）を得るようになっている。
【００６１】
上記撮影画像（静止画像）は、ディスプレイ８の表示部３６に表示されて使用者２に対してプレビュー確認させるようになっている。そして、ディスプレイ８には、プレビューを確認させた静止画像について撮りなおしを希望するか否かの選択を促す画面を表示し、使用者２が撮りなおしを希望する場合は、タッチペン１２でキャンセル操作を行なって再度シャッタ操作を行なうようになっている。
【００６２】
さらに、上記コンピュータ装置７には画像合成手段３０が設けられ、上記固定画像記憶部３８に固定された静止画像に、背景画像記憶部３３の背景画像およびタッチペン１２によってディスプレイ８の入力部３５に入力され、ペン入力画像記憶部３２に記憶された文字や図形等の手書き画像等を合成するようになっている。上記画像合成手段３０で合成された合成画像は、ディスプレイ８の表示部３６に表示されるようになっている。
【００６３】
上記コンピュータ装置７には、スピーカ２３から再生される音声を出力する音声出力回路２９が設けられている。さらに、上記コンピュータ装置７は、プリンタ９による印刷を制御する印刷制御部３４を備えている。上記印刷制御部３４は、所定のシートレイアウトにより印刷媒体１５に合成画像を印刷するよう制御する。
【００６４】
上記コンピュータ装置７には、選択発光手段３７が設けられている。この選択発光手段３７は、撮影時の照明として天井ストロボ５を使用するか否かを、被写体２がタッチペン１２によって行なう操作入力によって選択する照明選択手段として機能する。そして、被写体２のタッチペン１２による操作入力で、天井ストロボ５を使用しない選択を行なった場合は、この例では前面ストロボ４だけが発光して撮影が行なわれる。このときは、天井ストロボ５の発光がないため、天井ストロボ５が同調発光するときより前面ストロボ４の発光量を大きくするよう発光制御する。
【００６５】
このようにすることにより、被写体２の髪型や服装等によって天井ストロボ５を用いるか用いないかを被写体２が決定して選ぶことができる。例えば、帽子をかぶって撮影したいときは、頭上からの照明があると、かえって帽子だけが明るく目立ち、顔には暗い影ができた写真に仕上がってしまうが、このようなときに被写体２が天井ストロボ５を使用しない選択をすることで、上述したような失敗写真ができるのを防止できる。
【００６６】
また、天井ストロボ５上部照明手段を使用した撮影において失敗写真ができやすい被写体の状況をディスプレイ８や音声で使用者２に対して表示し、被写体２が上記表示した失敗写真ができやすい状態か否かをタッチペン１２により選択入力させ、上記選択入力の結果に応じ、被写体が失敗写真ができやすい状態であれば天井ストロボ５を発光させないように制御して失敗写真の生成を防止することもできる。
【００６７】
すなわち、例えば、「つばのある帽子をかぶっていますか」「頭にスカーフを巻いていますか」「サングラスを着用していますか」等、頭上からの照明があると失敗写真になりやすい状況をメッセージや絵柄で表示する。同時に、「ＹＥＳ」ボタンと「ＮＯ」ボタンを表示して、タッチペン１２による「ＹＥＳ」「ＮＯ」の選択入力によりそのような状況にあるか否かを入力させる。そして、「ＹＥＳ」の入力があったときに、失敗写真ができやすい状態であるので、天井ストロボ５を発光させないのである。
【００６８】
また、天井ストロボ５を使用した撮影において失敗写真ができやすい被写体の状況をディスプレイ８や音声で使用者２に表示して、被写体２に対して失敗写真ができやすい状態を除去するようディスプレイ８や音声で案内するようにすることもできる。
【００６９】
例えば、「天井から照明します」という案内とともに、天井からの照明できれいに撮るための案内として、「つばのある帽子は脱いでください」「頭にスカーフや大きな飾りが有る場合はとってください」「サングラスは外してください」「あまり下を向いて撮らないで下さい」「手を頭の上にやらないで下さい」「髪を梳いてください」などの案内を行なうことにより、失敗写真の生成を防止し、頭部に天使の輪のような光の輪が表現された立体感のある写真を確実に作成できる。
【００７０】
さらに、この写真プリント作成装置には、天井ストロボ５の下を被写体２の立ち位置とするよう被写体２に対して音声および／または画面で案内する案内手段が設けられている。すなわち、音声出力回路２９を介してスピーカ２３から、あるいは、ディスプレイ８の表示部３６に、「床のマークの上に立ってください」等のように、床部１４の表示シート２５の位置を被写体２の立ち位置とするよう案内を行なう。このようにすることにより、被写体２は、上記案内により頭部に立体感のあるよい写真を撮影するために自分がどの位置に立てばよいかがすぐにわかって便利である。
【００７１】
さらに、天井ストロボ５をモータ等と連動させて移動制御可能に取り付けるとともに、コンピュータ装置７に上記天井ストロボ５を移動制御する移動制御手段を設け、１つの天井ストロボ５に対して被写体２の立ち位置を示す表示シート２５を複数設けることもできる。具体的には、例えば、撮影ブースの床部１４に５箇所の表示シート２５を設け、それぞれに（Ａ）（Ｂ）（Ｃ）（Ｄ）（Ｅ）のような識別する符号等を付しておく。一方、天井ストロボ５は、上記５箇所の表示シート２５をカバーする範囲で移動可能になるよう移動範囲を設定しておく。
【００７２】
そして、この場合、ディスプレイ８に、「どの位置に立って撮影しますか？」というメッセージとともに、使用者２に対して希望する立ち位置の表示シート２５を選択入力する選択画面をディスプレイ８に表示する。上記選択画面では「Ａ」「Ｂ」「Ｃ」「Ｄ」「Ｅ」のボタンが表示され、いずれかのボタンをタッチペン１２で押すことにより、使用者２はタッチペン１２による所望の立ち位置である表示シート２５を選択入力できる。そして、入力された立ち位置の真上の位置に、天井ストロボ５を自動的に移動制御し、撮影を行なうよう制御することが行なわれる。
【００７３】
このようにすることにより、使用者２は、撮影領域内の複数の立ち位置から所望の立ち位置を選択して撮影を行なうことができ、ポーズの自由度が高くなってバラエティーに富んだ楽しい撮影を行なうことができる。そして、どの立ち位置で撮影しても、頭部に天使の輪のような光の輪が表現された立体感のある写真を確実に作成できる。
【００７４】
上記写真プリント作成装置の動作の一例について、図５のフローチャートを参照しながら説明する。ここで、図５において、「Ｓ」はステップを意味する。
【００７５】
まず、ディスプレイ８にデモ画面が表示されているなか、使用者２が硬貨投入口に必要な硬貨を投入すると（Ｓ１００）、ディスプレイ８の表示部３６に、背景画像の種類の一覧が表示され、使用者２に所望の背景画像の選択を促すメッセージが表示される。
【００７６】
使用者がタッチペン１２を操作して好みの背景画像を選択すると（Ｓ１１０）、カメラ６による被写体２の撮像が開始され（Ｓ１４０）、撮像の開始によりディスプレイ８の表示部３６に撮像映像が動画としてリアルタイムで表示される。
【００７７】
ついで、上述したように、天井ストロボ５を使用するか否かの選択画面をディスプレイ８に表示し、「ＹＥＳ」「ＮＯ」の選択入力を行なわせたのち、天井ストロボ５を使用してきれいに撮るための案内をスピーカ２３で音声案内するとともにディスプレイ８に表示する（Ｓ１５０）。
【００７８】
つぎに、使用者２がディスプレイ８の表示画像を見ながら被写体２の位置調整を完了した後に、タッチペン１２を用いて画面の指示に従ってシャッタ操作の操作信号を入力すると、使用者２にポーズをとるよう指示し、所定時間のカウントダウン後に、前面ストロボ４および天井ストロボ５が同調して閃光を照射するとともにカメラ６のシャッタが切られる（Ｓ１６０）。
【００７９】
そして、所定の瞬間の撮像映像が固定画像記憶部３８に固定される（Ｓ１８０）。このとき、ディスプレイ８には、そのときの撮影画像が静止画像として表示される。そして、この写真プリント作成装置では、図６に示すように、被写体２の頭部に天使の輪のような光の輪２６が表現され、頭髪の部分に立体感があるハイグレードな写真を作成できる。
【００８０】
ついで、固定された静止画像をディスプレイ８の表示部３６に表示して使用者２に対してプレビュー確認させ、ディスプレイ８にはプレビューを確認させた静止画像について撮りなおしを希望するか否かの選択を促すメッセージを表示する（Ｓ２００）。
【００８１】
ステップ２００において、使用者２が撮りなおしを希望する場合は、カウンタの撮影回数が規定の撮影可能回数に達しているか否かが確認される（Ｓ２２０）。ステップ２２０において、規定の撮影可能回数に達していなければ、ステップ１６０に戻り、再度、カメラ６による撮像とシャッタ操作とを行なう。
【００８２】
一方、ステップ２２０において、規定の撮影可能回数に達している場合、および、ステップ２００において撮りなおしを行なわない場合は、画像合成手段３０による撮影画像と背景画像との合成が行なわれる（Ｓ２３０）。
【００８３】
つぎに、タッチペン１２を操作することによる手書き画像等の入力が開始される（Ｓ２４０）。ここで、手書き画像の入力画面の一例を図７に示す。この手書き画像入力画面において、２１ａ，２１ｂ，２１ｃは、それぞれ手書きペン，スタンプ画像，アルファベット文字を入力する際にタッチペン１２でタップするアイコンである。
【００８４】
手書き画像を入力する際には、手書きペンのアイコン２１ａをタッチペン１２の先端でタップしてから、タッチペン１２の先端を、ディスプレイ８に表示された合成画像２２の上に接触させて絵や文字を描くことにより、手書き画像の入力が行なわれる。
【００８５】
スタンプ画像を入力する際には、スタンプ画像のアイコン２１ｂをタッチペン１２の先端でタップしてから、タッチペン１２の先端を、ディスプレイ８に表示された合成画像２２の上に接触させることにより、スタンプ画像の入力が行なわれる。
【００８６】
アルファベット文字を入力する際には、アルファベット文字のアイコン２１ｃをタッチペン１２の先端でタップしてから、タッチペン１２の先端を、ディスプレイ８に表示された合成画像２２の上に接触させることにより、アルファベット文字の入力が行なわれる。このようにして、手書き画像やスタンプ画像等が入力され、表示された合成画像２２の上に合成される。
【００８７】
そして、上記手書き画像等の入力は、タイマの計測時間があらかじめ設定された所定の入力可能時間（例えば９０秒等）に達するまで続けられる（Ｓ２６０）。ステップ２６０において規定の入力可能時間に達すると、手書き画像等の入力が停止され、印刷の際のシートレイアウトの選択が行なわれる（Ｓ２８０）。ここでのシートレイアウトの選択は、ディスプレイ８の表示部３６にシートレイアウトの見本画面が表示され、タッチペン１２の操作により所望のシートレイアウトを選択することが行なわれる。
【００８８】
ついで、シートレイアウトの選択が終了すると、合成画像の画像データがプリンタ９に送られ、ステップ２８０で選択されたシートレイアウトにより印刷が開始される（Ｓ３００）。印刷が終了すると、印刷された印刷媒体１５（写真プリント）が出力される。
【００８９】
このように、上記写真プリント作成装置によれば、被写体２の頭上に配置された集中光源である天井ストロボ５から照射された光は、被写体２の頭の大きさより小さい集中光源から広がるように照射され、被写体２の頭頂部よりやや下側の領域で反射してカメラ６に入射される。このため、得られる写真では、被写体２の頭部に天使の輪のような光の輪２６が表現され、頭髪の部分に立体感があるハイグレードな写真を作成できる。
【００９０】
図８は、本発明の第２の実施の形態を示す図である。この装置では、天井ストロボ５が被写体２の頭上において複数設けられている。このようにすることにより、被写体２が複数人で撮影を行なうなど、ひとりで普通に立った状態とは頭部の位置が異なるようなときに、複数人の被写体２の各人の頭部に天使の輪のような光の輪が表現された立体感のある写真を確実に作成できる。
【００９１】
この例では、２人用であり、２個の天井ストロボ５が設けられ、床部１４の表示シール２５も２個の天井ストロボ５に対応して２個設けられている。この場合において、上述したように、天井ストロボ５を、被写体２の頭上において移動可能に設けるようにすることもできる。
【００９２】
また、この装置では、ディスプレイ８に、被写体２の人数を入力させる入力画面を表示し、使用者２のタッチペン１２による被写体２人数の入力により、入力された人数に応じて人数の数だけ天井ストロボ５を発光させるようになっている。さらに、人数の入力ののち、被写体の立ち位置を入力させる入力画面をディスプレイ８に表示し、タッチペン１２で選択入力させ、上記入力された立ち位置に対応する天井ストロボ５を発光させるようになっている。
【００９３】
例えば、この例では、２個の天井ストロボ５に対応した２箇所の立ち位置「右」か「左」のうちいずれかを被写体２が決定して入力し、「右」が選択されたのであれば右側の天井ストロボ５が発光し、「左」が選択されたのであれば左側の天井ストロボ５が発光する。なお、この例では、天井ストロボ５が左右２個の場合を例示しているが、３個以上設けて３人以上での撮影ができるように構成することも可能である。このようにすることにより、複数人の被写体２の各人の頭部に天使の輪のような光の輪が表現された立体感のある写真を確実に作成できる。それ以外は、上記実施の形態と同様であり、同様の作用効果を奏する。
【００９４】
なお、上記各実施の形態では、上部照明手段として、光源である発光体が被写体２の頭部より小さい領域に集中した集中光源である天井ストロボ５を使用したが、これに限定するものではなく、蛍光灯のような線状光源も使用することができる。この場合、線状光源の幅寸法は被写体２の頭部より小さい寸法に設定される。上記線状光源は、光源が１本の線光源であってもよいし、複数の線光源が被写体２の頭部より小さい幅寸法内に平行に配置されたものでもよい。
【００９５】
また、上記各実施の形態において、プリンタ９としては、昇華型プリンタ，インクジェットプリンタ，レーザプリンタ，熱転写型プリンタ，溶融型プリンタ，サーマルプリンタ，印画紙プリンタ，インスタントフィルムプリンタ等、各種のタイプのプリンタを適用することができ、特に限定するものではない。
【００９６】
また、上記各実施の形態では、出力する写真プリントがシールプリントである例を示したが、これに限定するものではなく、カード等として出力するものも含む趣旨であり、印刷媒体１５の材質や構成を限定する趣旨ではない。
【００９７】
また、上記各実施の形態では、硬貨の投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。さらに、対価を要求せずに撮影を行なう態様も含む趣旨である。
【００９８】
また、上記各実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
【００９９】
また、上記各実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
【０１００】
また、本実施の形態では、図１のように撮影と手書き画像入力を、同じ場所で行うような構成をとっているが、これに限定するものではなく、撮影と手書き画像入力を異なる場所で行ってもよく、また撮影を行う筐体と手書き入力を行う筐体を別に設け、それらを電気的および通信可能なように接続され行う形態をも含む主旨である。
【０１０１】
【発明の効果】
以上のように、本発明の第１の写真プリント作成装置によれば、被写体の頭上に配置された集中光源から照射された光は、被写体の頭の大きさより小さくなるよう設定された領域内に存在する集中光源から広がるように照射され、被写体の頭頂部よりやや下側の領域で反射して撮影手段に入射される。このため、得られる写真では、被写体の頭部に天使の輪のような光の輪が表現され、頭髪の部分に立体感があるハイグレードな写真を作成できる。
【０１０２】
また、本発明の第２の写真プリント作成装置によれば、被写体の頭上に配置された集中光源から照射された光は、線光源である集中光源から広がるように照射され、被写体の頭頂部よりやや下側の領域で反射して撮影手段に入射される。このため、得られる写真では、被写体の頭部に天使の輪のような光の輪が表現され、頭髪の部分に立体感があるハイグレードな写真を作成できる。
【図面の簡単な説明】
【図１】本発明の写真プリント作成装置の一実施の形態を示す図である。
【図２】天井ストロボを示す図であり、（ａ）は側面図、（ｂ）はプリズムケースの筒状部の拡大断面図である。
【図３】天井ストロボを示す図であり、（ａ）は平面図、（ｂ）はプリズムケースのドーム状部の内壁面を示す拡大図、（ｃ）はドーム状部の拡大断面図である。
【図４】コンピュータ装置のシステム構成図である。
【図５】上記写真プリント作成装置の動作の一例を説明するフローチャート図である。
【図６】撮影画像の一例を示す図である。
【図７】ペン入力画像の入力画面の一例を示す図である。
【図８】本発明の第２の実施の形態の写真プリント作成装置を示す図である。
【図９】従来例による撮影画像の一例を示す図である。
【符号の説明】
１　筐体
２　被写体，使用者
３　天井部
４　前面ストロボ
５　天井ストロボ
６　カメラ
７　コンピュータ装置
８　ディスプレイ
９　プリンタ
１０　拡散板
１１　操作パネル
１２　タッチペン
１３　バックスクリーン
１４　床部
１５　印刷媒体
１６　取付ボックス
１７　プリズムケース
１７ａドーム状部
１７ｂ筒状部
１８　カッタ
１９　送出口
２０ａプリズム部
２０ｂプリズム部
２１　透明部
２１ａアイコン
２１ｂアイコン
２１ｃアイコン
２２　合成画像
２３　スピーカ
２４　硬貨検出部
２５　表示シート
２６　光の輪
２９　音声出力回路
３０　画像合成手段
３１　制御手段
３２　ペン入力画像記憶部
３３　背景画像記憶部
３４　印刷制御部
３５　入力部
３６　表示部
３７　選択発光手段
３８　固定画像記憶部
【図１】
2004109642.tif 000003
【図２】
2004109642.tif 000004
【図３】
2004109642.tif 000005
【図４】
2004109642.tif 000006
【図５】
2004109642.tif 000007
【図６】
2004109642.tif 000008
【図７】
2004109642.tif 000009
【図８】
2004109642.tif 000010
【図９】
2004109642.tif 000011